(57)【要約】便器用直水型自動フラッシング装置が開示される。この装置は、水道栓から供給される洗浄水をビデの水槽と作動部に案内し、便器の排泄物の処分の際、前記洗浄水を便器の内部に排水させるフラッシュバルブと、前記ビデのシート底面に装着され、使用者の感知時間によって大小便を判断する感知センサーと、前記感知センサーによって判断された大小便によって、水道栓から便器の内部に洗浄水を供給して排泄物を処分するように、フラッシュバルブの圧力室に貯蔵された洗浄水をソレノイドバルブの開放によって排水管を通じて便器の内部に排水させる作動部とを含む。この装置は、水道栓から供給される洗浄水をビデの水槽とフラッシュバルブの圧力室に供給する構造を簡素化する。
2010511810.tif 000002
【特許請求の範囲】
【請求項１】
水道栓から供給される洗浄水をビデの水槽と作動部に案内し、便器の排泄物の処分の際、前記洗浄水を便器の内部に排水させるフラッシュバルブと、
前記ビデのシート底面に装着され、使用者の感知時間によって大小便を判断する感知センサーと、
前記感知センサーによって判断された大小便によって、水道栓から便器の内部に洗浄水を供給して排泄物を処分するように、フラッシュバルブの圧力室に貯蔵された洗浄水をソレノイドバルブの開放によって排水管を通じて便器の内部に排水させる作動部と、を含んでなることを特徴とする、便器用直水型自動フラッシング装置。
【請求項２】
フラッシュバルブは、
前記水道栓の洗浄水の水圧で上昇するようにピストンを内蔵するバルブ本体の上部に装着され、ピストンの昇降距離を調節し、前記洗浄水をビデの水槽と作動部にそれぞれ供給する供給案内部材と、
前記供給案内部材とビデの水槽及び作動部をそれぞれ連結する供給管と、
前記供給案内部材の上部に定着され、供給管の端部を収容して保護する保護部材と、
前記供給案内部材と保護部材を固定させる固定部材と、を含んでなることを特徴とする便器用直水型自動フラッシング装置。
【請求項３】
供給案内部材は、
前記バルブ本体の上端部に定着される供給案内本体と、
前記供給案内本体の内部に貫設され、供給管がそれぞれ装着される供給孔と、
前記供給案内本体の中央に形成された締結孔と、を含んでなることを特徴とする、請求項２に記載の便器用直水型自動フラッシング装置。
【請求項４】
前記締結孔の下端部に締結され、ピストンの昇降高さを調節する高さ調節部材をさらに含むことを特徴とする、請求項３に記載の便器用直水型自動フラッシング装置。
【請求項５】
前記保護部材は、
前記供給案内部材を収容するように下部が開口する保護本体と、
前記保護本体の上面に供給案内部材の締結孔と同一線上に形成された締結案内孔と、
前記保護本体の外周面に形成され、供給管の端部を収容して保護する保護孔と、を含んでなることを特徴とする、請求項２に記載の便器用直水型自動フラッシング装置。
【請求項６】
前記ピストンの流入孔を収容するように装着され、流入孔に流入される洗浄水に含まれた汚染物質を濾過する円形濾過網をさらに含むことを特徴とする、請求項２に記載の便器用直水型自動フラッシング装置。
【請求項７】
前記供給案内部材をバルブ本体に締結して固定する締結固定部をさらに含むことを特徴とする、請求項２に記載の便器用直水型自動フラッシング装置。
【請求項８】
前記締結固定部は、
前記バルブ本体の上端部の外周面に形成された外側螺糸部と、
前記供給案内部材の下端部の内周面に形成された内側螺糸部と、を含んでなることを特徴とする、請求項７に記載の便器用直水型自動フラッシング装置。
【請求項９】
締結固定部は、
前記バルブ本体の上端部の内周面に形成された内側螺糸部と、
前記供給案内部材の下端部の外周面に形成された外側螺糸部と、を含んでなることを特徴とする、請求項７に記載の便器用直水型自動フラッシング装置。
【請求項１０】
前記供給案内部材の上部に定着された保護部材の回転を防止する回転防止部をさらに含むことを特徴とする、請求項２に記載の便器用直水型自動フラッシング装置。
【請求項１１】
回転防止部は、
前記供給案内部材の供給案内本体の外周面に放射状に形成された回転防止溝と、
前記回転防止溝に結合されるように保護部材の保護本体の内周面に形成された少なくとも一つ以上の回転防止突起と、を含んでなることを特徴とする、請求項１０に記載の便器用直水型自動フラッシング装置。
【請求項１２】
前記供給案内部材に保護部材を固定させる固定部材を外部から遮断させる遮断部をさらに含むことを特徴とする、請求項２に記載の便器用直水型自動フラッシング装置。
【請求項１３】
遮断部は、
前記保護部材の締結案内孔と同心状に、保護本体の上面に形成された着脱凹部と、
前記着脱凹部に着脱可能に装着される遮断片と、を含んでなることを特徴とする、請求項１２に記載の便器用直水型自動フラッシング装置。
【請求項１４】
前記供給案内部材の各供給孔に装着された供給管の遊動を防止するように固定させる遊動防止固定部をさらに含むことを特徴とする、請求項２に記載の便器用直水型自動フラッシング装置。
【請求項１５】
遊動防止固定部は、
前記供給孔に装着される供給管の端部をそれぞれ遊動防止孔に結合して供給管の遊動を防止する遊動防止部材と、
前記遊動防止部材の遊動防止孔に結合された供給管を収容して保護部材の保護孔に結合する遊動防止固定リングと、を含んでなることを特徴とする、請求項１４に記載の便器用直水型自動フラッシング装置。
【請求項１６】
作動部は、前記感知センサーによって判断された大小便にそれぞれ対応する洗浄水配水量を作動部の開放時間で調節して排水させることを特徴とする、請求項１に記載の便器用直水型自動フラッシング装置。
【請求項１７】
水道栓の洗浄水の水圧によって昇降するようにピストンを内蔵するバルブ本体の上部に装着され、ピストンの昇降距離を調節し、前記洗浄水をビデの水槽と作動部にそれぞれ供給する供給案内部材と、
前記供給案内部材とビデの水槽及び作動部をそれぞれ連結する供給管と、
前記供給案内部材の上部に定着され、供給管の端部を収容して保護する保護部材と、
前記供給案内部材と保護部材を固定させる固定部材と、
前記供給案内部材をバルブ本体に締結して固定する締結固定部と、
前記供給案内部材の上部に定着された保護部材の回転を防止する回転防止部と、
前記供給案内部材の各供給孔に装着された供給管の遊動を防止するように固定させる遊動防止固定部と、を含んでなるフラッシュバルブを有することを特徴とする、便器用直水型自動フラッシング装置。
【発明の詳細な説明】
【技術分野】
【０００１】
本発明は便器用直水型フラッシュバルブに係り、より詳しくは水道栓から供給される洗浄水をビデの水槽と作動部に案内するとともに、作動部の作動によってフラッシュバルブを通じて便器の内部に洗浄水を排水して排泄物を処分する便器用直水型自動フラッシング装置に関するものである。
【背景技術】
【０００２】
近年、文化の発達につれて、トイレも大きな変化を要求して、衛生的で便利に使用することができるように追い求めており、大勢の人々が集まるビルや公共施設のトイレに、排泄物を処分するために、洗浄水の供給を制御する洗浄水排水バルブが設置されている。
前記トイレに設置された洗浄水排水バルブ１０のレバー１１を押し付ければ、図１及び図２に示すように、前記レバー１１がスプリング１１’を圧縮させるとともに加圧棒１１ａがピストン２０の開閉棒２１を加圧し、前記開閉棒２１がスプリング２１’を圧縮させながら傾くことにより開放される排水孔２２を通じて、圧力室３０に貯蔵された洗浄水が排出される。
この際、前記圧力室３０に貯蔵された洗浄水が排水孔２２を通じて排出されることにより圧力室３０の圧力が急激に低下するとともに、水道管に供給される洗浄水の圧力によってピストン２０がバルブ本体１２の内面に沿って上昇しながら配水管１３を開放し、開放された配水管１３を通じて、水道栓から供給される洗浄水が便器の内部に排水されて排泄物を処分することになる。
また、前記洗浄水排水バルブ１０のレバー１１に加わった加圧力が解除されれば、スプリング１１’の復元力によって加圧棒１１ａが復元するとともにピストン２０の開閉棒２１はスプリング２１’の復元力によって復元して排水孔２２を閉鎖させることにより、水道栓から供給される洗浄水の一部がピストン２０の濾過網２３と流入孔２４を通じて圧力室３０に流入される。
前記圧力室３０に流入される洗浄水によって圧力室３０の水圧が上昇するとともにピストン２０を加圧する。この際、前記ピストン２０はバルブ本体１２の内面に沿って下降して配水管１３を閉鎖させることで、水道管から供給される洗浄水を遮断させた状態で、次の動作を待機することになる。
前記過程で作動する洗浄水排水バルブは、レバーを加圧すれば、圧力室に貯蔵された洗浄水が配水管に排出されて水圧が低下するとともに、水道管に供給される洗浄水の水圧によってピストンがバルブ本体の内面に沿って上昇して配水管を開放するように構成されている。しかし、レバーの状態が不潔であるため、レバーを手で加圧しないで足で踏むか、ひいては用便の後、洗浄水を排水させないでトイレを出る問題点があった。
また、前記レバーを足で踏む場合、レバーに衝撃が加わることにより内部の部品が損傷し、内部部品の損傷によって洗浄水が漏水して洗浄水が浪費されるとともに、損傷された部品の交替作業が煩わしくて維持管理が難しい問題点があった。
また、洗浄水排水バルブを通じて排水される洗浄水はレバーを押している時間によって洗浄水の配水量が決定されるが、レバーを長く押して洗浄水を無駄に浪費するとともに、大小便の種類かかわらずいつも大便を処分するための量の洗浄水が排水されるので、小便の際に無駄に洗浄水を浪費して経済性を低下させる問題点があった。
前記問題点を解決するために、近来には韓国登録実用新案第２６２１６９号に便器用自動フラッシュバルブが登録されたことがある。
先登録された便器用自動フラッシュバルブ４０は、図３及び図４に示すように、使用者の用便の際、光センサー４１によって感知される時間から大小便を判断し、これによってソレノイドダイヤフラムバルブ４２が作動すれば、前記ソレノイドダイヤフラムバルブ４２が上昇しながら、洗浄水排水バルブ１０の圧力室３０と連通する流通路４３を開放するとともに、開放された流通路４３を通じて、圧力室３０に貯蔵された洗浄水が配水管１３に排出されることにより圧力室３０の圧力が急激に低下する。
この際、水道管から供給される洗浄水の圧力によって、ピストン２０をバルブ本体１２の内面に沿って上昇させるとともに、開放される配水管１３を通じて便器の内部に洗浄水が排水されて排泄物を処分することになり、ソレノイドダイヤフラムバルブ４２の設定された作動時間によって大小便に設定された洗浄水を排水して排泄物を処分することになる。
また、前記ソレノイドダイヤフラムバルブ４２の設定された作動時間が経過するにつれて、ソレノイドダイヤフラムバルブ４２が下降して、洗浄水排水バルブ１０の圧力室３０と連通する流通路４３を閉鎖すれば、水道栓から供給される洗浄水の一部がピストン２０の濾過網２３と流入孔２４を通じて圧力室３０に流入される。
前記圧力室３０に流入される洗浄水によって圧力室３０の水圧が高くなってピストン２０を加圧する。前記ピストン２０は、バルブ本体１２の内面に沿って下降して配水管１３を閉鎖させて、水道管から供給される洗浄水を遮断させた状態で、次の動作を待機することになる。
しかし、前記過程で作動する先登録の便器用自動フラッシュバルブは、従来の問題点を解決する利点はあるが、建物内のメーン給水バルブを閉じた後、ソレノイドダイヤフラムバルブ及び光センサーが装着されたフラッシュバルブ全体を取り替えなければならないので、設置時間が長くかかるとともに、メーン給水バルブが閉じた状態を維持するため設置中には建物内の洗浄水を使用することができない問題点があり、内部部品及び構造が複雑で組立て過程が複雑であるだけでなく、製造原価が上昇して経済性が落ちる問題点があった。
また、光センサーに供給される電源は乾電池を利用して供給するが、前記乾電池が消耗されるため、光センサーによって使用者を感知することができない場合、従来の問題点を解決することができないだけでなく、トイレに設置されたそれぞれの便器ごとに使用回数が異なり、乾電池の交替時期もそれぞれ異なるので、管理者が交替時期を把握して入れ替えることは事実上不可能で維持管理が難しい問題点があった。
また、先登録の便器用自動フラッシュバルブをビデに設置する場合は、ビデとフラッシュバルブをホースで連結しなければならない。この際、前記ホースをフラッシュバルブに装着するためには、フラッシュバルブの一側にドリリングで孔を開けなければならないが、この時に発生する残物の除去が難しく、フラッシュバルブが設置された状態では残物の除去が一層難しいだけでなく、フラッシュバルブを解体した状態でドリルリング作業を行った後、残物を除去した状態で再び設置しなければならないため、作業過程が煩わしい問題点があった。
また、ビデの使用の際、ビデのカバーを上部に回転させれば、ビデのカバーが光センサーの前方に位置することになるので、シートに座って用便をする使用者を感知することができなくて動作しないかあるいは誤動作を引き起こす問題点あった。
また、圧力室に貯蔵される洗浄水の水圧によってピストンがバルブ本体の内面に沿って昇降するが、前記ピストンの一側に形成された濾過網を通じて圧力室に洗浄水が供給されることによりピストンが下降するとき、濾過網に供給される洗浄水によってピストンが垂直に下降することができない場合が発生し、洗浄水の漏水が発生する問題点があった。
【先行技術文献】
【特許文献】
【０００３】
【特許文献１】韓国登録実用新案第２６２１６９号
【発明の概要】
【発明が解決しようとする課題】
【０００４】
したがって、本発明は前述したような従来の問題点に鑑みてなされたもので、水道栓から供給される洗浄水がフラッシュバルブを通じてビデの水槽と圧力室に同時に供給されながら圧力室に貯蔵された洗浄水を排水させる構造が簡素化して設置作業及び作業時間を短縮させることができる便器用直水型自動フラッシング装置を提供することをその目的とする。
また、本発明は、フラッシュバルブに装着される供給管が使用者の所望方向に設置することができ、供給管の損傷を防止するとともに、外観を美麗にする便器用直水型自動フラッシング装置を提供することを他の目的とする。
また、本発明は、ビデに供給される電源で作動部を作動させることで、安定的な使用を可能にするとともに維持管理を容易にする便器用直水型自動フラッシング装置を提供することをさらに他の目的とする。
また、本発明は、使用者の感知時間で使用者の大小便を判断し、判断された大小便に相当する洗浄水を排水させることで、無駄に排水される洗浄水を節減することができる便器用直水型自動フラッシング装置を提供することをさらに他の目的とする。
前記目的を達成するために、本発明は、水道栓から供給される洗浄水をビデの水槽と作動部に案内し、便器の排泄物の処分の際、前記洗浄水を便器の内部に排水させるフラッシュバルブと、前記ビデのシートの底面に装着され、使用者の感知時間によって大小便を判断する感知センサーと、前記感知センサーによって判断された大小便によって、水道栓から便器の内部に洗浄水を供給して排泄物を処分するために、フラッシュバルブの圧力室に貯蔵された洗浄水をソレノイドバルブの開放によって排水管を通じて便器の内部に排水させる作動部と、を含んでなる便器用直水型自動フラッシング装置を提供する。
【図面の簡単な説明】
【０００５】
【図１】一般的なフラッシュバルブの作動状態を示す断面図である。
【図２】一般的なフラッシュバルブの作動状態を示す断面図である。
【図３】先登録された便器用自動フラッシュバルブの作動状態を示す断面図である。
【図４】先登録された便器用自動フラッシュバルブの作動状態を示す断面図である。
【図５】は本発明の自動フラッシュ装置を示す分解斜視図である。
【図６】は本発明の自動フラッシュ装置を示す断面図である。
【図７】は本発明の保護部材が回転されて設置される状態を示す平断面図である。
【図８】は本発明の設置状態を示す平面図である。
【図９】は本発明の自動フラッシュ装置の作動状態を示す図である。
【図１０】は本発明の自動フラッシュ装置の作動状態を示す図である。
【図１１】は本発明の自動フラッシュ装置の作動状態を示す図である。
【図１２】は本発明の自動フラッシュ装置の手動動作状態を示す図である。
【図１３】は本発明の自動フラッシュ装置の手動動作状態を示す図である。
【発明を実施するための形態】
【０００６】
以下、添付図面に基づいて本発明の一実施例の構成を詳細に説明する。
図５は本発明の分解斜視図、図６は本発明の断面図である。
本発明による自働フラッシング装置は、水道栓から供給される洗浄水をビデ５０の水槽５２と作動部３００に案内し、便器６０の排泄物の処分の際、前記洗浄水を便器６０の内部に排水させるフラッシュバルブ１００と、前記ビデ５０のシート５１の底面に装着され、使用者の感知時間によって大小便を判断する感知センサー２００と、前記感知センサー２００で判断された大小便によって水道栓から便器６０の内部に洗浄水を供給して排泄物を処分するために、フラッシュバルブ１００の圧力室３０に貯蔵された洗浄水をソレノイドバルブ３１０の開放によって排水管３２０を通じて便器６０の内部に排水させる作動部３００とを含んでなる。これについてより具体的に説明すれば次のようである。
前記フラッシュバルブ１００は、前記水道栓の洗浄水の水圧によって昇降するように、ピストン２０を内蔵するバルブ本体１２の上部に装着され、ピストン２０の昇降距離を調節し、前記洗浄水をビデ５０の水槽５２と作動部３００にそれぞれ供給する供給案内部材１１０と、前記供給案内部材１１０とビデ５０の水槽５２及び作動部３００をそれぞれ連結する供給管１２０、１２０’と、前記供給案内部材１１０の上部に定着され、供給管１２０、１２０’の端部を収容して保護する保護部材１３０と、前記供給案内部材１１０と保護部材１３０を固定させる固定部材１４０とを含む。
前記供給案内部材１１０は、前記バルブ本体１２の上端部に定着される供給案内本体１１１を含み、前記供給案内本体１１１の内部には、供給管１２０、１２０’がそれぞれ装着される供給孔１１２、１１２’が貫設され、前記供給案内本体１１１の中央に締結孔１１３が形成される。
前記供給案内部材は、前記締結孔１１３の下端部に締結され、ピストン２０の昇降高さを調節する高さ調節部材１１４をさらに含んでなることができる。
前記保護部材１３０は、前記供給案内部材１１０を収容するように下部が開口する保護本体１３１を含み、前記保護本体１３１の上面に、供給案内部材１１０の締結孔１１３と同一線上に締結案内孔１３２が形成され、前記保護本体１３１の外周面に供給管１２０、１２０’の端部を収容して保護する保護孔１３３が形成される。
また、前記ピストン２０の流入孔を収容するように装着され、流入孔に流入される洗浄水に含まれた汚染物質を濾過する円形濾過網１５０をさらに含んでなることができる。
また、前記供給案内部材１１０をバルブ本体１２に締結して固定する締結固定部１６０をさらに含んでなることができ、前記締結固定部１６０は、前記バルブ本体１２の上端部外周面に外側螺糸部１６１が形成され、前記供給案内部材１１０の下端部内周面に内側螺糸部１６２が形成される。
また、前記フラッシング装置は、前記供給案内部材１１０の上部に定着された保護部材１３０の回転を防止する回転防止部１７０をさらに含んでなることができ、前記回転防止部１７０は、前記供給案内部材１１０の供給案内本体１１１の外周面に放射状に回転防止溝１７１が形成され、前記回転防止溝１７１に結合されるように、保護部材１３０の保護本体１３１の内周面少なくとも一つ以上の回転防止突起１７２が形成される。
また、前記供給案内部材１１０と保護部材１３０を固定させた固定部材１４０を外部から遮断させる遮断部１８０をさらに含んでなることができ、前記遮断部１８０は、前記保護部材１３０の締結案内孔１３２と同心状に、保護本体１３１の上面に形成された着脱凹部１８１と、前記着脱凹部１８１に着脱可能に装着される遮断片１８２とを含む。
また、前記フラッシング装置は、前記供給案内部材１１０の各供給孔１１２、１１２’に装着された供給管１２０、１２０’の遊動を防止するために固定させる遊動防止固定部１９０をさらに含んでなることができ、前記遊動防止固定部１９０は、前記供給孔１１２、１１２’に装着される供給管１２０、１２０’の端部をそれぞれ遊動防止孔１９１’に結合して供給管１２０、１２０’の遊動を防止する遊動防止部材１９１と、前記遊動防止部材１９１の遊動防止孔１９１’に結合された供給管１２０、１２０’を収容して保護部材１３０の保護孔１３３に結合する遊動防止固定リング１９２とを含む。
つぎに、前記のように構成された本発明の結合過程を説明する。
本発明は、適用例によって必須構成要素を加減して構成することができる。
まず、図６に示すように、フラッシュバルブ１００のバルブ本体１２に水平に貫設された設置孔１２’に加圧棒１１ａ、スプリング１１’及びレバー１１を結合した状態で、円形濾過網１５０が流入孔２４を収容するように装着されたピストン２０を前記バルブ本体１２の内部に定着させた後、供給案内部材１１０の締結孔１１３の下端部に高さ調節部材１１４が締結された供給案内本体１１１をバルブ本体１２の上部に定着させる。
前記円形濾過網１５０はピストン２０の外周面を収容するように装着されているので、バルブ本体１２の内周面との干渉なしにピストン２０の昇降を安全に誘導することができるものである。
また、前記供給案内本体１１１の下端部がバルブ本体１２の上端部を収容するとともに前記供給案内部材１１０の下端部の内周面に形成された締結固定部１６０の内側螺糸部１６２がバルブ本体１２の上端部の外周面に形成された締結固定部１６０の外側螺糸部１６１が同一線上に位置する。前記供給案内部材１１０の供給案内本体１１１を一方向に回転させれば、供給案内部材１１０の内周面に形成された内側螺糸部１６２がバルブ本体１２の外周面に形成された外側螺糸部１６１に締結されることにより、バルブ本体１２に供給案内部材１１０が固定される。
前記バルブの上端部の内周面に内側螺糸部を形成し、前記供給案内部材の下端部の外周面に外側螺糸部を形成することにより締結することもできる。
前記のように、供給案内部材１１０の供給孔１１２、１１２’に供給管１２０、１２０’の一端部を固定させた状態で、前記供給管１２０、１２０’の他端部に遊動防止固定部１９０の遊動防止部材１９１を結合する。前記遊動防止部材１９１の遊動防止孔１９１’に供給管１２０、１２０’を結合し、遊動防止部材を供給管１２０、１２０’の一端部に移動させた後、前記供給管１２０、１２０’の他端部で遊動防止固定リング１９２を結合する。その後、遊動防止リング１９２を供給管１２０、１２０’の一端部に移動させて遊動防止部材１９１に密着させる。
ここで、前記供給管１２０、１２０’の一端部を遊動防止固定部１９０の遊動防止固定リング１９２が収容するように結合した状態で、前記供給管１２０、１２０’の一端部を遊動防止部材１９１の遊動防止孔１９１’が収容するように結合した後、前記供給管１２０、１２０’の一端部を供給案内部材１１０の供給孔１１２、１１２’に固定させることもできる。
前記遊動防止固定部１９０が供給管１２０、１２０’の一端部に位置すれば、前記供給管１２０、１２０’の他端部を保護部材１３０の保護本体１３１の内部を通じて保護孔１３３の外部に突出するように結合する。前記保護孔１３３には遊動防止固定部１９０の遊動防止固定リング１９２が位置するようにした後、前記保護部材１３０の保護本体１３１を下方に移動させて供給案内部材１１０の供給案内本体１１１に定着させる。
この際、前記保護部材１３０の保護本体１３１の内周面に少なくとも一つ以上突出した回転防止部１７０の回転防止突起１７２が供給案内部材１１０の供給案内本体１１１の外周面に放射状に形成された回転防止溝１７１に結合されることにより保護部材１３０の回転を防止するとともに、前記保護部材１３０の保護本体１３１の内面が供給案内部材１１０の締結孔１１３の上面に密着するとともに保護部材１３０の締結案内孔１３２と供給案内部材１１０の締結孔１１３が垂直線上に位置する。
ここで、図７に示すように、前記供給案内部材１１０の供給案内本体１１１の外周面に放射状に形成された回転防止溝１７１に対して保護部材１３０の保護孔１３３の位置を調節するように保護本体１３１を所定角度だけ回転させた状態でも前記過程で結合可能である。
また、前記保護部材１３０の保護本体１３１の内面が供給案内部材１１０の締結孔１１３の上面に定着されて垂直線上に維持される供給案内部材１１０の締結孔１１３と保護部材１３０の締結案内孔１３２に固定部材１４０を結合した後、一方向に回転させれば、前記固定部材１４０が保護部材１３０の締結案内孔１３２と供給案内部材１１０の締結孔１１３に締結されることにより保護部材１３０が供給案内部材１１０に固定される。
前記保護部材１３０と供給案内部材１１０の締結案内孔１３２、１１３に締結された固定部材１４０を外部から遮断させるために、保護部材１３０の保護本体１３１の上面に形成された遮断部１８０の着脱凹部１８１に遮断片１８２を装着することにより、締結案内孔１３２を閉鎖させるとともに固定部材１４０を外部から遮断することができる。
前記遮断片１８２の上面には広告用文句及びロゴを印刷して使用することができ、前記供給管１２０、１２０’の他端部をビデ５０の水槽５２と作動部３００のソレノイドバルブ３１０にそれぞれ連結すれば、図８に示すように、本発明の設置が完了される。
前記過程で結合された本発明の作動過程を詳細に説明する。
まず、便器６０に設置されたビデ５０のシート５１に使用者が座れば、使用者の荷重を感知センサー２００で感知するとともに感知時間を測定して使用者の大小便を判断する。
また、使用者の用便の後、使用者の肛門洗浄またはビデ洗浄を行う場合、使用者がビデ５０の操作部５０’の肛門／ビデ洗浄ボタンを加圧すると、加圧された肛門／ビデ洗浄ボタンによって方向転換バルブ５３がノズル５４と連通するように回転する。前記ノズル５４は肛門／ビデ洗浄ノズルの中でいずれか一つである。
ここで、使用者が例えば肛門洗浄ボタンを押せば、前記ビデ５０の水槽５２に貯蔵された温水が方向転換バルブ５３を経由した後、ノズル５４、つまり肛門洗浄ノズルを通じて噴射されて肛門及びその周辺を洗浄することになる。
前記ノズル５４を通じて洗浄水が噴射されることにより、図９に示すように、水槽５２に貯蔵された洗浄水の水位が低くなれば、水槽５２の上部に位置する水位感知センサー（図示せず）の制御によって、水道栓から洗浄水が供給される。前記洗浄水は供給案内部材１１０の供給孔１１２と供給管１２０を経由して水槽５２に供給され、前記水槽５２に供給されて貯蔵される洗浄水の水位を水位感知センサー（図示せず）で感知すれば、洗浄水の供給を遮断する過程を繰り返し行うことで常に一定水位を維持することになる。
前記過程で使用者の肛門洗浄が完了し、使用者がシート５１から立ち上がると、前記シート５１の底面に装着された感知センサー２００で使用者の荷重を感知することができないため、感知センサー２００で感知した使用者の感知時間によって使用者の大小便を判断する。例えば、２分以上の場合は大便と判断し、２分以下の場合は小便と判断する。
前記感知センサー２００で判断された使用者の大小便によって作動部３００のソレノイドバルブ３１０を開放させれば、図１０に示すように、供給管１２０’に貯蔵された洗浄水がソレノイドバルブ３１０を通過して排水管３２０に排水されるとともに、図１１に示すように、フラッシュバルブ１００の圧力室３０に位置する洗浄水が供給案内部材１１０の供給孔１１２’、供給管１２０’及び作動部３００のソレノイドバルブ３１０を通じて排水管３２０に流出されて便器６０の内部に排水される。
この際、前記圧力室３０に位置する洗浄水が作動部３００に排水されて圧力室３０内部圧力が急激に低くなり、水道管に供給される洗浄水の圧力によってピストン２０がバルブ本体１２の内面に沿って上昇するとともに配水管１３を開放し、開放された配水管１３を通じて、水道管に供給される洗浄水が便器６０に排水されることにより、便器６０の内部に位置する排泄物を処分することになる。
ここで、前記感知センサー２００の使用者感知時間によって判断された大小便に対応する洗浄水の配水量を作動部３００のソレノイドバルブ３１０の開放時間で調節して排水させることができ、これにより無駄に排水される洗浄水を節減することができる。
前記作動部３００のソレノイドバルブ３１０の開放時間が経過してソレノイドバルブ３１０を閉鎖させれば、水道栓から供給される洗浄水が配水管１３に排水されるとともに、水道栓から供給される洗浄水の一部が円形濾過網１５０を通過することにより汚染物質が濾過された後、ピストン２０の流入孔２４を通じて圧力室３０と供給管１２０’に供給されて貯蔵され、前記圧力室３０と供給管１２０’に貯蔵される洗浄水の圧力が高くなることによりピストン２０の上面を加圧することになる。
この際、前記ピストン２０はバルブ本体１２の内面に沿って下降して配水管１３を閉鎖させることで水道栓から供給される洗浄水を遮断させた状態で、次の動作を待機することになる。
また、ビデ５０に供給される電源が遮断されれば、図１２〜図１３に示すように、フラッシュバルブ１００のレバー１１を利用した通常の方法によっても使用可能である。
【産業上の利用可能性】
【０００７】
以上説明したように、本発明の便器用直水型自動フラッシング装置によれば、水道栓から供給される洗浄水をビデの水槽とフラッシュバルブの圧力室に同時に供給する構造が簡素化して、設置作業及び作業時間を短縮させることができる利点を持つ。
また、本発明の便器用直水型自動フラッシング装置によれば、供給管を遊動防止固定部によって保護部材の保護孔に装着することにより供給管の損傷を防止することができるだけでなく、使用者が所望の方向に供給管の設置方向を調節することができるので、外観を美麗にすることができる利点を持つ。
また、本発明は、ビデに供給される電源で作動部を作動させるので、安定的に使用することができるだけでなく、維持管理が簡便であり、乾電池が要らないので、乾電池による環境汚染を減らすことができる利点を持つ。
さらに、本発明は、使用者の感知時間によって使用者の大小便を判断し、判断された大小便に対応する洗浄水を排水させるので、無駄に排水される洗浄水を節減することができるだけでなく、円形濾過網がピストンの外周面を収容するように装着されているので、汚染物質の濾過はもちろんのこと、ピストンがバルブ本体の内部で所定角度で傾いて移動しても配水管を正確に閉鎖して洗浄水の漏水を遮断することができる利点を持つ。
【符号の説明】
【０００８】
１００：フラッシュバルブ
１１０：供給案内部材
１２０、１２０’：供給管
１３０：保護部材
１４０：固定部材
２００：感知センサー
３００：作動部
３１０：ソレノイドバルブ
３２０：排水管
【図１】
2010511810.tif 000003
【図２】
2010511810.tif 000004
【図３】
2010511810.tif 000005
【図４】
2010511810.tif 000006
【図５】
2010511810.tif 000007
【図６】
2010511810.tif 000008
【図７】
2010511810.tif 000009
【図８】
2010511810.tif 000010
【図９】
2010511810.tif 000011
【図１０】
2010511810.tif 000012
【図１１】
2010511810.tif 000013
【図１２】
2010511810.tif 000014
【図１３】
2010511810.tif 000015
【国際調査報告】
2010511810.tif 000016
2010511810.tif 000017